(57)【要約】【課題】  少ない通信量でコンテンツや再生状況に関する情報を表示可能な再生装置を実現する。【解決手段】  システムマイコン１１からクライアント制御ＩＣ１２に再生を指示すると、クライアント制御ＩＣ１２は、コンテンツの供給を開始し、再生を開始させる。クライアント制御ＩＣ１２は、コンテンツや動作モードについて、所定項目のデータを収集し、一連の文字コードからなる表示データを生成し、表示対象ではあるが自身は保有していないリスニングモード情報を要求するデータを付してシステムマイコン１１に送信する。システムマイコン１１は、要求に従って、リスニングモードの表示データを生成し、クライアント制御ＩＣ１２からの表示データと共に表示制御マイコン２５に供給する。表示制御マイコン２５は、両表示データを合成して１つの表示データとして、表示部２４に表示させる。【選択図】  図１
2006065937.tif 000002
【特許請求の範囲】
【請求項１】
コンテンツデータを受信し、該コンテンツデータを再生する再生手段と、
前記再生手段に再生対象のコンテンツデータを供給するコンテンツ供給手段と、
前記再生手段の再生動作を制御する制御手段と、
再生対象のコンテンツに関するコンテンツ情報と前記再生手段の動作モードに関する情報とを表示する表示手段と、を備えるコンテンツ再生装置であって、
前記コンテンツ供給手段は、再生対象のコンテンツに関するコンテンツ情報を前記制御手段に供給し、
前記制御手段は、前記コンテンツ供給手段からのコンテンツ情報に、自己が制御している再生手段の再生動作に関する再生制御情報を追加して、前記表示手段に供給して、
前記表示手段は、前記再生制御情報が付加されたコンテンツ情報を表示する、
ことを特徴とするコンテンツ再生装置。
【請求項２】
前記コンテンツ供給手段は、再生対象のコンテンツに関する予め定められた項目に関するテキスト情報を前記制御手段に供給し、
前記制御手段は、制御対象である前記再生手段の動作に関する所定項目のテキスト情報を前記コンテンツ供給手段からのテキスト情報に追加して前記表示手段に供給し、
前記表示手段は、前記制御手段から提供されたテキスト情報に対応するテキストを表示する、
ことを特徴とする請求項１に記載のコンテンツ再生装置。
【請求項３】
前記コンテンツ供給手段は、再生対象のコンテンツのソース、種類、題号の少なくとも１つに関するテキスト情報を前記制御手段に供給し、
前記制御手段は、前記再生手段の動作モードを示すテキスト情報を前記コンテンツ供給手段からのテキスト情報に追加して前記表示手段に供給し、
前記表示手段は、前記制御手段から提供されたテキスト情報に対応するテキストを表示する、
ことを特徴とする請求項２に記載のコンテンツ再生装置。
【請求項４】
前記コンテンツ供給手段は、前記制御手段から所定の動作を指示を受信すると、所定の指示に対応するテキスト列と、前記所定の動作に対応して予め設定されている不足情報の要求とを前記制御手段に送信し、
前記制御手段は、前記コンテンツ供給手段からの不足情報の要求に応答して、要求された情報を示すテキスト列を生成し、生成したテキスト列とコンテンツ供給手段から供給されたテキスト列とを前記表示制御手段に供給する、
ことを特徴とする請求項２又は３に記載のコンテンツ再生装置。
【請求項５】
前記制御手段は、生成したテキスト列をコンテンツ供給手段から供給されたテキスト列に合成して、前記表示手段に供給する、
ことを特徴とする請求項４に記載のコンテンツ再生装置。
【発明の詳細な説明】
【技術分野】
【０００１】
本発明は、コンテンツ再生装置に関する。
【背景技術】
【０００２】
ＣＤ再生装置やＤＶＤ再生装置等の音響機器において、現在再生中のコンテンツのタイトルやジャンル、さらに、再生装置の動作の動作モードなどの再生状況を表示してユーザに告知することが一般的に行われている。
【０００３】
従来、このような再生状況の告知表示は、図６と図７に簡略化して示すように、コンテンツ記憶部３３からコンテンツを読み出してデコードして再生部３１に供給するコンテンツ取得部３２と、コンテンツ取得部３２や再生部３１を含むシステム全体を制御する制御部３４と、表示部３６を制御する表示制御部３５との間で、複数回の情報交換を行って表示対象の情報を表示制御部３５に収集し、最終的に得た情報に基づいて表示画面を形成して表示していた。
【０００４】
これは、コンテンツに関する情報はコンテンツ取得部３２が保持しており、再生部３１の動作モードに関する情報のように例えばユーザから指示される事項については制御部３４が保持しているというように、情報を保持している部分が異なっているからである。
【０００５】
図７に示すように、コンテンツ取得部３２と制御部３４と表示制御部３５とで頻繁に通信を行うと、情報収集に時間がかかると共に表示制御部３５とコンテンツ取得部３２との間の通信にかかる負荷によってコンテンツ取得部３２でのデコードがスムーズに出来なくなり、コンテンツの再生時に音切れや映像切れが発生してしまうおそれがある。
【０００６】
再生装置の再生状態などを表示する技術としては、例えば、特許文献１に開示されているようなものもあるが、上述の複数の構成要素間での通信量を抑えるという点に介しては、何も開示していない。
【特許文献１】特開平７−２５０３８８号公報
【発明の開示】
【発明が解決しようとする課題】
【０００７】
本発明は、上記実状に鑑みて為されたものであり、少ない通信量でコンテンツや再生状況に関する情報を適切に表示することが可能なコンテンツ再生装置を実現することを目的とする。
【課題を解決するための手段】
【０００８】
上記目的を達成するため、本発明のコンテンツ再生装置は、
コンテンツデータを受信し、該コンテンツデータを再生する再生手段と、
前記再生手段に再生対象のコンテンツデータを供給するコンテンツ供給手段と、
前記再生手段の再生動作を制御する制御手段と、
再生対象のコンテンツに関するコンテンツ情報と前記再生手段の動作モードに関する情報とを表示する表示手段と、を備えるコンテンツ再生装置であって、
前記コンテンツ供給手段は、再生対象のコンテンツに関するコンテンツ情報を前記制御手段に供給し、
前記制御手段は、前記コンテンツ供給手段からのコンテンツ情報に、自己が制御している再生手段の再生動作に関する再生制御情報を追加して、前記表示手段に供給して、
前記表示手段は、前記再生制御情報が付加されたコンテンツ情報を表示する、
ことを特徴とする。
【０００９】
例えば、前記コンテンツ供給手段は、再生対象のコンテンツに関する予め定められた項目に関するテキスト情報を前記制御手段に供給し、前記制御手段は、制御対象である前記再生手段の動作に関する所定項目のテキスト情報を前記コンテンツ供給手段からのテキスト情報に追加して前記表示手段に供給し、前記表示手段は、前記制御手段から提供されたテキスト情報に対応するテキストを表示する。
【００１０】
あるいは、前記コンテンツ供給手段は、例えば、再生対象のコンテンツのソース、種類、題号の少なくとも１つに関するテキスト情報を前記制御手段に供給し、前記制御手段は、例えば、前記再生手段の動作モードを示すテキスト情報を前記コンテンツ供給手段からのテキスト情報に追加して前記表示手段に供給し、前記表示手段は、例えば、前記制御手段から提供されたテキスト情報に対応するテキストを表示する。
【００１１】
例えば、前記コンテンツ供給手段は、前記制御手段から所定の指示を受信すると、所定の指示に対応するテキスト列と、前記所定の動作に対応して予め設定されている不足情報の要求とを前記制御手段に送信し、前記制御手段は、前記コンテンツ供給手段からの不足情報の要求に応答して、要求された情報を示すテキスト列を生成し、生成したテキスト列とコンテンツ供給手段から供給されたテキスト列とを前記表示手段に供給する。
【００１２】
また、前記制御手段は、生成したテキスト列をコンテンツ供給手段から供給されたテキスト列に合成して、前記表示手段に供給する、ように構成してもよい。
【発明の効果】
【００１３】
本発明によれば、コンテンツ供給手段が表示データを生成して制御手段に送信し、制御手段が表示データを付加して表示制御手段に供給し、表示制御手段がこれを表示手段に表示する。従って、コンテンツ供給手段と制御手段との間で複数回通信を繰り替えす必要がなく、簡単な通信処理で再生状況などの表示が可能となる。
【発明を実施するための最良の形態】
【００１４】
本発明の実施の形態に係るＡＶ（Audio and Visual）機器１は、図１に示すように、システムマイコン１１と、クライアント制御ＩＣ１２と、ＤＩＲ（Digital Interface Receiver）１３と、オーディオＤＳＰ（Digital Signal Processor）１４と、アンプ部１５と、スピーカ部１６と、キー制御部１７と、ＰＣ（Personal Computer）１８と、ルータ１９と、メモリカード２０と、スロット２１と、ＬＡＮ（Local Area Network）２２と、ＬＡＮコントローラ２３と、表示部２４と、表示制御マイコン２５と、から構成される。
【００１５】
システムマイコン１１は、ＡＶ機器１の全体の動作を制御するものであり、ＣＰＵ（Central Processing Unit）やＲＯＭ（Read Only Memory）、ＲＡＭ（Random Access Memory）等を備えて構成され、キー制御部１７からのキー操作信号に従って様々な制御動作を行う。例えば、キー制御部１７から、再生（ＰＬＡＹ）や媒体の選択の指示を受けて、これをクライアント制御ＩＣ１２に通知し、また、例えば、モノラルモード、ステレオモード、サラウンドモード等の再生モードの指定を受けて、例えば、オーディオＤＳＰ１４を制御する。
【００１６】
また、システムマイコン１１は、再生動作中は、クライアント制御ＩＣ１２より再生中のコンテンツに関するテキスト情報を受信し、これに再生モードを示すテキスト情報を付加して表示制御マイコン２５に供給することにより、簡単な処理で再生情報を表示・告知する。
【００１７】
クライアント制御ＩＣ１２は、ＣＰＵ、ＲＡＭ，ＲＯＭ等から構成され、システムマイコン１１からの指示・制御に従って動作し、再生時には、ＰＣ１８やメモリカード２０から供給されたデジタルのコンテンツデータとコンテンツに関する情報とを併せて受信する。クライアント制御ＩＣ１２は、入力されたビットストリームからなるコンテンツデータをＰＣＭデータにデコードして、ＤＩＲ１３に供給する。
【００１８】
また、クライアント制御ＩＣ１２は、コンテンツの再生がシステムマイコン１１から指示されると、コンテンツや再生モードに関する表示対象データ（テキストコード）を予め設定されているテンプレート（例えば、図４に示す）に従って、ＲＡＭ内に形成されたテキストバッファに展開・生成し、一連の表示対象文字列（文字コード列）を生成する。クライアント制御ＩＣ１２は、さらに、不足している情報を要求する要求信号と共にシステムマイコン１１に出力する。なお、不足している情報とは、予め設定されている表示対象の情報であるが、自らは保持していないデータであり、例えば、リスニングモード（モノラル、ステレオ、等）を特定する情報である。
【００１９】
クライアント制御ＩＣ１２により生成される表示データは、表示部２４の画面構成にあわせて、そのままでも実際の表示に使用できる情報であり、テンプレートに従って、例えば、コンテンツのソース、コンテンツの種類、コンテンツのファイル名、動作モード等の複数のデータ項目を有する。
【００２０】
ＤＩＲ１３は、クライアント制御ＩＣ１２から供給されたＰＣＭデータをオーディオＤＳＰ１４が処理可能な信号形式に変換して、変換した信号をオーディオＤＳＰ１４に供給する。
【００２１】
オーディオＤＳＰ１４は、ＤＩＲ１３を介してクライアント制御ＩＣ１２から供給されたコンテンツデータに対してディジタル信号処理を行い、アンプ部１５に出力する。
【００２２】
また、オーディオＤＳＰ１４は、システムマイコン１１からの指示に従って、リスニングモード、すなわち、モノラル、ステレオ、サラウンド（チャネル数、例えば、５．１、６．１，７．１等）に対応する処理を行う。
【００２３】
アンプ部１５は、図示せぬＤ／Ａコンバータやアナログ増幅器を備えて構成され、オーディオＤＳＰ１４から入力されたデータをＤ／Ａ変換によりアナログ信号に変換して、増幅する。そして、アンプ部１５は、アナログ増幅した信号から音声信号を抽出してスピーカ部１６に供給する。
【００２４】
スピーカ部１６は、ステレオスピーカ等から構成され、アンプ部１５から供給された音声信号を空気振動に変換して、音声を出力する。
【００２５】
キー制御部１７は、図示せぬリモートコントローラ等の操作入力キーを用いた入力を受け付け、入力された信号に対応するデータをシステムマイコン１１に供給する。例えば、リモートコントローラを用いて、再生（ＰＬＡＹ）、停止（ＳＴＯＰ）等の指示や、コンテンツのソースの選択、リスニングモードの指定などを行う。
【００２６】
ＰＣ１８は、ハードディスク装置等の記憶装置を備えて構成されており、クライアント制御ＩＣ１２からの要求に応じて、記憶装置内に記憶されたコンテンツデータを、ルータ１９およびＬＡＮ２２を介してクライアント制御ＩＣ１２に供給する。
【００２７】
ルータ１９は、ＰＣ１８とクライアント制御ＩＣ１２との間のＬＡＮ２２を介したデータの授受を中継するための装置である。
【００２８】
メモリカード２０は、フラッシュメモリを内蔵した半導体メモリ等から構成される記録媒体である。メモリカード２０は、クライアント制御ＩＣ１２に接続されたスロット２１に挿入され、自身内部に記録されたコンテンツデータをスロット２１を介してクライアント制御ＩＣ１２に供給する。
【００２９】
スロット２１は、メモリカード２０の挿入口であり、クライアント制御ＩＣ１２に接続されている。スロット２１は、メモリカード２０に記録されたコンテンツデータを読み取って、クライアント制御ＩＣ１２に供給する。
【００３０】
ＬＡＮ２２は、Ethernet（登録商標）等から構成され、クライアント制御ＩＣ１２とＰＣ１８との間のデータの授受を媒介する。
【００３１】
ＬＡＮコントローラ２３は、クライアント制御ＩＣ１２とＰＣ１８との間のＬＡＮ２２を介したデータの授受を制御するためのネットワーク制御装置であり、クライアント制御ＩＣ１２に接続されている。
【００３２】
表示部２４は、蛍光表示管や液晶表示素子などから構成され、表示制御マイコン２５から供給される表示内容に対応する配列の文字コード（テキストコード）をデコードし、表示画面にテキスト（数値、記号を含む）を表示する。なお、本実施例では、４行×２０文字の表示が可能である。
【００３３】
表示制御マイコン２５は、ＣＰＵやＲＯＭ、ＲＡＭ等を備えており、後述する表示制御処理に従って、表示部２４に表示される表示内容を制御する。
特に、表示制御マイコン２５は、システムマイコン１１を介してクライアント制御ＩＣ１２から提供されるテキストコードと、システムマイコン自身が生成したテキストコードとを合成し、かつ、表示部２４の画面構成に応じた表示パターンに展開し、表示部２４に供給する。これにより、再生時には、コンテンツや動作モードさらには、リスニングモードに関する情報が表示部２４に表示される。
【００３４】
次に、上記構成のＡＶ機器１の動作を説明する。
クライアント制御ＩＣ１２は、ＬＡＮ２２とＬＡＮコントローラ２３とを介してＰＣ１８に格納されているコンテンツか、スロット２１を介してメモリカード２０に格納されているコンテンツの一方を、システムマイコン１１からの指示に応じて選択する。
【００３５】
そして、停止モード（ＳＴＯＰ状態）では、クライアント制御ＩＣ１２は、選択しているソースからの情報に基づいて、各ソースに格納されているコンテンツのリストを例えば、図５（ａ）に示すようにテキストデータ（コードデータ）で生成してシステムマイコン１１に供給する。システムマイコン１１は、この情報を表示制御マイコン２５に供給し、表示部２４に表示させる。なお、選択されているコンテンツには、カーソル（←→）を付す。
【００３６】
この状況において、選択されているコンテンツを再生したい場合、ユーザは、例えば、リモコン装置のＰＬＡＹボタンを操作する。  
【００３７】
すると、キー制御部１７のシステムマイコン１１に、ＰＬＡＹを指示する操作信号が供給され、システムマイコン１１は、クライアント制御ＩＣ１２に、ＰＬＡＹ（再生）を要求する（ＰＬＡＹ開始コマンドを送信する）。
【００３８】
クライアント制御ＩＣ１２は、図２に示すように、停止状態では何らかの入力を待機しており（ステップＳ１０１）、このＰＬＡＹ要求に応答して、選択されているファイルの再生処理を開始する（ステップＳ１０２）。
【００３９】
すなわち、クライアント制御ＩＣ１２は、その時点で選択されているソース（ＰＣ１８又はメモリカード２０）からコンテンツデータを読み出し、デコードして、ＤＩＲ１３を介してオーディオＤＳＰ１４に供給する。
【００４０】
オーディオＤＳＰ１４は、システムマイコン１１により設定されているリスニングモードに従って、供給されたデータを処理し、アンプ部１５とスピーカ部１６を介して放音させる。これにより、コンテンツの再生が開始する。
【００４１】
続いて、クライアント制御ＩＣ１２は、図４に示すテンプレートに従って、表示部２４に表示すべき表示データを生成して内部のテキストバッファ（文字コードバッファ）に展開する処理を開始する。
【００４２】
まず、クライアント制御ＩＣ１２は、選択されているソース（コンテンツの供給元）を示す表示データ（テキストコード）を生成する（ステップＳ１０３）。例えば、ソースがＰＣ１８であれば、図２（ａ）に例示するように、「ＮＥＴ  ＳＥＲＶＥＲ」という文字列を設定し、表示部２４の表示画面に対応してテンプレートで指定されている第１行の配置位置にセットする。なお、ソースがメモリカード２０であれば、「ＭＥＭＯＲＹ  ＣＡＲＤ」という文字列を設定する。
【００４３】
続いて、クライアント制御ＩＣ１２は、選択されているコンテンツが属すジャンルの表示データを生成して展開する（ステップＳ１０４）。例えば、ジャンルが「楽曲」であれば、図２（ｂ）に例示するように、「ＭＵＳＩＣ」という文字列を設定し、テキストバッファの第１行の後半部分に展開（セット）する。なお、ジャンルが「画像」であれば「ＰＩＣＴＵＲＥ」、「動画」であれば「ＭＯＶＩＥ」という文字列を設定する。
【００４４】
続いて、クライアント制御ＩＣ１２は、再生中のファイル名の表示データを生成・設定する（ステップＳ１０５）。例えば、ファイル名が「ＭＵＳＩＣ  ＦＩＬＥ  ＮＡＭＥ  ２」であれば、図２（ｃ）に例示するように、その文字列を生成し、テキストバッファ内の３行目の所定位置に配置する。
【００４５】
続いて、クライアント制御ＩＣ１２は、再生中のファイル名の再生状態の表示データを生成し、テキストバッファに設定する（ステップＳ１０６）。例えば、現在の再生状態が通常の再生状態であれば、図２（ｄ）或いは図５（ｂ）に示すように、「ＰＬＡＹ」の文字列をテキストバッファ内の所定位置に配置する。 例えば、現在の再生状態が４倍速の再生状態であれば、例えば、「×４ＰＬＡＹ」の文字列を生成・展開する。なお、テキストバッファ内の文字の位置は、表示部２４での表示データの各表示位置に対応しているため、図２及び図５の例では、ファイル名と再生状態データとの間に１行のスペースが空けられている。図２（ｅ）に示すように、ここに、リスニングモードの表示データを挿入（追加）するためである。
以上で、表示対象の文字列の形成は終了する。
【００４６】
続いて、クライアント制御ＩＣ１２は、自らは、リスニングモードに関する情報を有していないため、リスニングモードに関する情報を付加すべきことをシステムマイコンに要求する「リスニングモード情報要求データ」を生成する（ステップＳ１０７）。
【００４７】
続いて、クライアント制御ＩＣ１２は、システムマイコン１１にデータ送信が可能になるまで待機し（ステップＳ１０８）、送信が可能となると（ステップＳ１０８；Ｙｅｓ）、テキストバッファに形成した一連の表示データ（テキストコードデータ）とリスニングモード情報要求データとを、システムマイコン１１に送信する（ステップＳ１０９）。
【００４８】
システムマイコン１１は、クライアント制御ＩＣ１２からの表示データとリスニングモード情報要求データとを受信して、自らが把握しているリスニングモード（例えば、内部レジスタに格納・設定されているリスニングモード情報に基づいて）を判別し、モノラル、ステレオ、サラウンドの別を示す表示データ、例えば、ステレオモードを示す「ＳＴＥＲＥＯ」を生成する。
【００４９】
システムマイコン１１は、表示要求と、クライアント制御ＩＣ１２からの表示データとシステムマイコン１１が生成したリスニングモードを示す表示データとを表示制御マイコン２５に送信する。
【００５０】
表示制御マイコン２５は、表示要求に応答して、クライアント制御ＩＣ１２で生成された表示データとシステムマイコン１１で生成した表示データとを合成して、１画面分の表示データ（文字コード情報）を生成する。そして、生成した表示データを表示部２４に供給する。表示部２４は、供給された表示データ（文字コード）をデコードして、図５（ｃ）に示すように、表示する。
【００５１】
以上の動作をまとめると図３のチャートのようになる。
すなわち、システムマイコン１１は、クライアント制御ＩＣ１２に、ＰＬＡＹ（再生）コマンドを送信する（Ｓ２０１）。
【００５２】
クライアント制御ＩＣ１２は、このコマンドに応答して、指示された再生処理を開始し、さらに、予め設定されているテンプレート（ひな形）に従って、文字コード列から構成される表示データを生成する。そして、予め設定されている不足データ（自らが把握していない情報）の追加を要求するデータと共にシステムマイコン１１に送信する（Ｓ２０２）。
【００５３】
システムマイコン１１は、受信した要求に従ってリスニングモードを示す表示データを生成し、クライアント制御ＩＣ１２からの表示データ及び表示要求と共に表示制御マイコン２５に供給する（Ｓ２０３）。
【００５４】
表示制御マイコン２５は、両文字列を合成して１つの文字列情報とし（Ｓ２０４），表示部２４に供給し（Ｓ２０５）、表示部２４がこれを表示する（Ｓ２０６）。
【００５５】
このような構成とすれば、システムマイコン１１からクライアント制御ＩＣ１２に動作開始の指示（コマンド）が送信された段階で、クライアント制御ＩＣ１２が予め設定されているテンプレートに従って任意の文字列を生成し、さらに、不足している情報の付加を要求するデータを付してシステムマイコン１１に送信する。そして、システムマイコン１１は、要求された情報を示すテキスト情報を付加して表示制御マイコン２５に情報を送信し、表示制御マイコン２５が全体として１つの表示データを生成して、表示部２４に表示させる。
【００５６】
従って、情報の収集のために多数回の通信を行う必要がなく、通信量を抑えて、かつ、適切に動作状況を示す表示を行うことができる。
【００５７】
尚、本発明は上記実施の形態で示したものに限定されず、様々な変形及び応用が可能である。
上記実施の形態においては、動作として、再生モードが指定された場合の表示例を説明したが、例えば、停止、早送り、巻き戻し、ジャンプなどが指示された場合に表示すべきデータと不足情報とのテンプレートを予め用意しておき、各動作が指定された時点で、該当する表示を行うようにしてもよい。
【００５８】
また、上記実施の形態では、クライアント制御ＩＣ１２からの文字列とシステムマイコン１１からの文字列とを表示制御マイコン２５で合成して１つの文字列としたが、システムマイコン１１がクライアント制御ＩＣ１２からの文字列に自らが生成した文字列を合成（追加；重畳）して１つの文字列として、表示制御マイコン２５に提供してもよい。
【００５９】
また、上記実施の形態では、クライアント制御ＩＣ１２が、ＰＣ１８やメモリカード２０からコンテンツデータを取得するものとした。しかし、例えばクライアント制御ＩＣ１２がインターネットに接続され、ダウンロードによってコンテンツを取得するような構成としても良い。また、ＤＶＤやＣＤをコンテンツのソースとしてもよい。
【００６０】
また、コンテンツを供給するソースの種類も、ＰＣ１８（ＨＤＤ）やメモリカード２０に限定されず、例えば、ＤＶＤ（Digital Versatile Disc)や、ＣＤ(Compact Disc) 等でもよい。この場合、例えば、ソースから出力信号は、デコードが必要な場合にはクライアント制御ＩＣ１２に供給され、デコード済みの場合には、ＤＩＲ１３に供給され、ＤＩＲ１３で任意の入力が選択される。
【図面の簡単な説明】
【００６１】
【図１】本発明の実施の形態に係るＡＶ機器の構成図である。
【図２】図１のＡＶ機器が行う表示データ生成・展開処理のフローチャートである。
【図３】図１のＡＶ機器が行う表示データ生成・展開処理において、システムマイコンとクライアント制御ＩＣと表示制御マイコンとの動作を関連付けて説明するためのチャートである。
【図４】表示データを生成するためのテンプレートの一例を示す図である。
【図５】表示部の表示例を示す図である。
【図６】従来のシステム構成の例を示す図である。
【図７】従来のＡＶ機器が行う表示データ生成・展開処理を説明するためのチャートである。
【符号の説明】
【００６２】
１  ＡＶ機器
１１  システムマイコン
１２  クライアント制御ＩＣ
１３  ＤＩＲ
１４  オーディオＤＳＰ
１５  アンプ部
１６  スピーカ部
１７  キー制御部
１８  ＰＣ
１９  ルータ
２０  メモリカード
２１  スロット
２２  ＬＡＮ
２３  ＬＡＮコントローラ
２４  表示部
２５  表示制御マイコン
【図１】
2006065937.tif 000003
【図２】
2006065937.tif 000004
【図３】
2006065937.tif 000005
【図４】
2006065937.tif 000006
【図５】
2006065937.tif 000007
【図６】
2006065937.tif 000008
【図７】
2006065937.tif 000009